(57)【要約】【課題】第１の筐体と第２の筐体との係合力を確保しつつ、第１の筐体を第２の筐体から容易に離脱させることができる嵌合構造を提供する。【解決手段】本発明の一形態に係る嵌合構造は、第１の筐体（カバー２）に形成される係合爪２５と、第２の筐体（本体筐体３）に形成され、係合爪２５が係合される凹み部３１ｄと、を備える。係合爪２５は、第１の筐体が第２の筐体から離脱する側に配置される第１の面２５ａと、第１の筐体が第２の筐体から離脱する側に向かって外方に傾斜する辺と、第１の筐体の上方又は下方に向かって第１の筐体が第２の筐体から離脱する側と逆側に傾斜する辺と、を含む傾斜面２５ｆと、を有する。凹み部３１は、係合爪２５の第１の面２５ａと接触する第１の面３１ｆと、係合爪２５の傾斜面２５ｆと接触する傾斜面３１ｋと、を有する。【選択図】図１
2013149765.tif 000002
【特許請求の範囲】
【請求項１】
第１の筐体に形成される係合爪と、
第２の筐体に形成され、前記係合爪が係合される凹み部と、を備え、
前記係合爪は、
前記第１の筐体が前記第２の筐体から離脱する側に配置される第１の面と、
前記第１の筐体が前記第２の筐体から離脱する側に向かって外方に傾斜する辺と、前記第１の筐体の上方又は下方に向かって前記第１の筐体が前記第２の筐体から離脱する側と逆側に傾斜する辺と、を含む傾斜面と、
を有し、
前記凹み部は、
前記係合爪の第１の面と接触する第１の面と、
前記係合爪の傾斜面と接触する傾斜面と、
を有する嵌合構造。
【請求項２】
前記係合爪の第１の面は水平面である請求項１に記載の嵌合構造。
【請求項３】
前記係合爪の第１の面と前記凹み部の第１の面とが接触した状態で、前記第１の筐体と前記第２の筐体との突き合わせ部が略接触する請求項１又は２に記載の嵌合構造。
【請求項４】
前記係合爪の傾斜面は、前記第１の筐体の下方に向かって前記第１の筐体が前記第２の筐体から離脱する側と逆側に傾斜する辺を含む請求項１乃至３のいずれか１項に記載の嵌合構造。
【請求項５】
前記係合爪の傾斜面における前記第１の筐体の外方側の端部は、前記第２の筐体の凹み部における外方側の端部近傍に配置される請求項１乃至４のいずれか１項に記載の嵌合構造。
【請求項６】
請求項１乃至５のいずれか１項に記載の嵌合構造を有する電子機器の筐体。
【請求項７】
第１の筐体の係合爪を、第２の筐体の凹み部に係合する工程と、
前記第１の筐体が前記第２の筐体から離脱する側に配置される、前記係合爪の第１の面と、前記凹み部の第１の面と、を接触させる工程と、
前記第１の筐体が前記第２の筐体から離脱する側に向かって外方に傾斜する辺と、前記第１の筐体の上方又は下方に向かって前記第１の筐体が前記第２の筐体から離脱する側と逆側に傾斜する辺と、を含む前記係合爪の傾斜面と、前記凹み部の傾斜面と、を接触させる工程と、
を備える電子機器の筐体の組立方法。
【発明の詳細な説明】
【技術分野】
【０００１】
本発明は、嵌合構造、電子機器の筐体及びその組立方法に関する。
【背景技術】
【０００２】
電子機器として、携帯電話機、タブレット端末、デジタルカメラ、ノートパソコン、ＰＤＡ（Personal Digital Assistants）、ポータブルＤＶＤ（Digital Versatile Disk）プレーヤー、ポータブル音楽プレーヤー、ポータブルテレビ等がある。
【０００３】
電子機器の一種である携帯電話機においては、例えばバッテリー（電池）等を交換可能にするために、バッテリーの収納部は着脱可能なカバーで覆う構成を採用するものが主流である。このとき、図６及び図７に示すように、カバー１００を本体筐体２００に装着する際には、カバー１００に形成した係合爪１１０を本体筐体２００の凹み部２１０に係合している。
【０００４】
しかし、係合爪１１０の後面１１１と凹み部２１０の後面２１１とが共に水平面であるため、カバー１００を本体筐体２００から離脱させる際に、カバー１００を本体筐体２００から離脱させ難いという問題があった。
【０００５】
そこで、例えば特許文献１の嵌合構造は、図８及び図９に示すように、係合爪１１０の後面１１１を傾斜させることで、カバー１００を本体筐体２００から容易に離脱させることができる構成としている。
【先行技術文献】
【特許文献】
【０００６】
【特許文献１】特開２０００−３３２４４８号公報
【発明の概要】
【発明が解決しようとする課題】
【０００７】
特許文献１の嵌合構造は、係合爪１１０の後面１１１を傾斜させているため、カバー１００を本体筐体２００から容易に離脱させることができるが、カバー１００と本体筐体２００との係合力が弱く、カバー１００と本体筐体２００との突き合わせ部に隙間が生じる場合がある。
【０００８】
本発明の目的は、上述した課題を解決するためになされたものであり、第１の筐体と第２の筐体との係合力を確保しつつ、第１の筐体を第２の筐体から容易に離脱させることができる嵌合構造、電子機器の筐体及びその組立方法を提供することである。
【課題を解決するための手段】
【０００９】
本発明の一形態に係る嵌合構造は、第１の筐体に形成される係合爪と、第２の筐体に形成され、前記係合爪が係合される凹み部と、を備え、前記係合爪は、前記第１の筐体が前記第２の筐体から離脱する側に配置される第１の面と、前記第１の筐体が前記第２の筐体から離脱する側に向かって外方に傾斜する辺と、前記第１の筐体の上方又は下方に向かって前記第１の筐体が前記第２の筐体から離脱する側と逆側に傾斜する辺と、を含む傾斜面と、を有し、前記凹み部は、前記係合爪の第１の面と接触する第１の面と、前記係合爪の傾斜面と接触する傾斜面と、を有する。
【００１０】
本発明の一形態に係る電子機器の筐体は、上記の嵌合構造を備える。
【００１１】
本発明の一形態に係る電子機器の筐体の組立方法は、第１の筐体の係合爪を、第２の筐体の凹み部に係合する工程と、前記第１の筐体が前記第２の筐体から離脱する側に配置される、前記係合爪の第１の面と、前記凹み部の第１の面と、を接触させる工程と、前記第１の筐体が前記第２の筐体から離脱する側に向かって外方に傾斜する辺と、前記第１の筐体の上方又は下方に向かって前記第１の筐体が前記第２の筐体から離脱する側と逆側に傾斜する辺と、を含む前記係合爪の傾斜面と、前記凹み部の傾斜面と、を接触させる工程と、を備える。
【発明の効果】
【００１２】
本発明によれば、第１の筐体と第２の筐体との係合力を確保しつつ、第１の筐体を第２の筐体から容易に離脱させることができる嵌合構造、電子機器の筐体及びその組立方法を提供することができる。
【図面の簡単な説明】
【００１３】
【図１】本発明の実施の形態に係る電子機器の筐体を概略的に示す斜視図である。
【図２】図１のＡ部分における、カバーの第２の係合爪と本体筐体の凹み部とを拡大して示す斜視図である。
【図３】図２のＢ−Ｂ位置でのカバーの第２の係合爪と本体筐体の凹み部との係合状態を示す断面図である。
【図４】本発明の実施の形態に係る電子機器の筐体における、カバーを本体筐体から離脱させる様子を示す斜視図である。
【図５】本発明の実施の形態に係る電子機器の筐体における、図４でのＣ−Ｃ位置でのカバーを本体筐体から離脱させる際の動作原理を示す断面図である。
【図６】一般的な電子機器の筐体における、カバーの係合爪と本体筐体の凹み部とを拡大して示す斜視図である。
【図７】図６のＤ−Ｄ位置でのカバーの第２の係合爪と本体筐体の凹み部との係合状態を示す断面図である。
【図８】一般的な電子機器の筐体における、カバーの係合爪と本体筐体の凹み部とを拡大して示す斜視図である。
【図９】図８のＥ−Ｅ位置でのカバーの第２の係合爪と本体筐体の凹み部との係合状態を示す断面図である。
【発明を実施するための形態】
【００１４】
本発明の実施の形態に係る嵌合構造、電子機器の筐体及びその組立方法について説明する。但し、本発明が以下の実施の形態に限定される訳ではない。また、説明を明確にするため、以下の記載及び図面は、適宜、簡略化されている。なお、以下の記載及び図面での上下方向、左右方向、前後方向は説明を明確にするために定義付けしたものであって、使用形態によって変更される。また、以下の記載及び図面での上下方向、左右方向、前後方向は、第１の筐体を第２の筐体に嵌合した状態を前提とする。
【００１５】
本実施の形態に係る電子機器の筐体は、図１に示すように、例えば携帯電話機の筐体１として適用している。先ず、本実施の形態の筐体の構造を説明する。筐体１は、カバー（第１の筐体）２、本体筐体（第２の筐体）３を備えている。
【００１６】
カバー２は、本体筐体３に形成されている、バッテリー４の収納部３１を覆う。詳細には、カバー２は、後部２１、左右の側部２２、下部２３を備えている。後部２１は、カバー２が本体筐体３の収納部３１を覆った際に、本体筐体３の後部３２と略連続する。左右の側部２２は、後部２１の左右の側縁部から前方に向かって突出している。下部２３は、後部２１の下方の縁部から前方に向かって突出している。
【００１７】
このカバー２は、第１の係合爪２４、第２の係合爪２５を備えている。第１の係合爪２４は、本体筐体３の収納部３１における上方の側部３１ａに形成されている凹み部３１ｂに係合される。第１の係合爪２４は、カバー２の上面から上方に突出している。第１の係合爪２４は、一般的な係合爪と同様に、例えば先端部に反し（図示を省略）が形成されている。
【００１８】
第２の係合爪２５は、図２及び図３に示すように、本体筐体３の収納部３１における左右の側部３１ｃに形成されている凹み部３１ｄに係合される。第２の係合爪２５は、カバー２の側部２２から内方に向かって突出している。
【００１９】
本実施の形態の第２の係合爪２５は、直方体の一つの角部を切り欠いた形状を基本形状としている。例えば第２の係合爪２５は、カバー２の下方側であって、且つ後方側の角部が切り欠かれている。そのため、切り欠き部は直角三角錐形状となる。
【００２０】
詳細には、第２の係合爪２５は、後面２５ａ、前面２５ｂ、第１の側面２５ｃ、第２の側面２５ｄ、第３の側面２５ｅ、第４の側面２５ｆを備えている。
後面２５ａ及び前面２５ｂは、図３に示すように略水平面である。後面２５ａ及び前面２５ｂは、上下方向を規定する軸と左右方向を規定する軸とを含む平面と略平行に配置されている。後面２５ａと前面２５ｂとは、略平行に配置されている。
【００２１】
第１の側面２５ｃは、第２の係合爪２５の上面を成している。第１の側面２５ｃは、前後方向を規定する軸と左右方向を規定する軸とを含む平面と略平行に配置されている。
【００２２】
第２の側面２５ｄは、第２の係合爪２５の下面を成している。第２の側面２５ｄも、前後方向を規定する軸と左右方向を規定する軸とを含む平面と略平行に配置されている。第２の側面２５ｄは、第１の側面２５ｃと略平行に配置されている。
【００２３】
第３の側面２５ｅは、第２の係合爪２５におけるカバー２の内方側の側面を成している。第３の側面２５ｅは、上下方向を規定する軸と前後方向を規定する軸とを含む平面と略平行に配置されている。
【００２４】
第４の側面２５ｆは、上述のように直方体を切り欠いて露出した面を成している。そのため、第４の側面２５ｆは、後面２５ａ、前面２５ｂ、第２の側面２５ｄ及び第３の側面２５ｅと連続している。
【００２５】
第４の側面２５ｆは、カバー２を上下方向から見たとき、カバー２の前方から後方に向かって外方に傾斜する辺と、カバー２を左右方向から見たとき、カバー２の上方から下方に向かって前方に傾斜する辺と、カバー２を前後方向から見たとき、カバー２の上方から後方に向かって外方に傾斜する辺と、を含む。つまり、直方体の切り欠き部は、カバー２の前方から後方に向かって左右方向の幅寸法Ｔ１が拡幅し、且つカバー２の上方から下方に向かって前後方向の幅寸法Ｔ２が拡幅する。そのため、後面２５ａは、鋭角が下方に配置された直角台形状となる。一方、前面２５ｂは、矩形状となる。
【００２６】
この第４の側面２５ｆにおけるカバー２の外方側の端部２５ｇは、カバー２を本体筐体３に嵌合した状態で、本体筐体３の凹み部３１ｄの外方側の端部近傍に配置される。つまり、第４の側面２５ｆの傾斜開始部分は本体筐体３の凹み部３１ｄの外方側の端部近傍に配置されるので、カバー２を本体筐体３から離脱しようとしたとき、当該凹み部３１ｄに後面２５ａが引っ掛かって抵抗になることを抑制することができる。また、カバー２の第２の係合爪２５が凹み部３１ｄに引っ掛かって損傷することを抑制することができる。
【００２７】
ここで、本実施の形態の第２の係合爪２５は、第５の側面２５ｈを備えている。第５の側面２５ｈは、後面２５ａ、前面２５ｂ、第２の側面２５ｄ、第４の側面２５ｆと連続している。第５の側面２５ｈは、カバー２を上下方向から見たとき、カバー２の前方から後方に向かって外方に傾斜している。そして、第５の側面２５ｈの前方側の辺及び後方側の辺は、カバー２の上下方向と略平行に配置されている。
【００２８】
このとき、第５の側面２５ｈの後方側の辺は、カバー２を本体筐体３に嵌合した状態で、本体筐体３の凹み部３１ｄの外方側の端部近傍に配置される。そのため、カバー２を本体筐体３から離脱しようとしたとき、当該凹み部３１ｄに後面２５ａが引っ掛かって抵抗になることを抑制することができる。なお、第５の側面２５ｈは、カバー２を本体筐体３から離脱しようとしたとき、当該凹み部３１ｄに後面２５ａが引っ掛かって抵抗になることを抑制することができるように形成されていれば良く、省略しても良い。
【００２９】
本体筐体３は、図示は省略したが表示部や操作部が形成された前面部を有する略直方体を基本形状とし、後方下部にバッテリー４の収納部３１が形成されている。収納部３１は、上方側の側部３１ａ、左右の側部３１ｃ、下方側の側部３１ｅを備えている。
【００３０】
上方側の側部３１ａは、カバー２の上面と突き合わされる。上方側の側部３１ａには、凹み部３１ｂが形成されている。
【００３１】
左右の側部３１ｃは、本体筐体３の収納部３１からバッテリー４を挟み込むように、それぞれ後方に突出している。左右の側部３１ｃには、凹み部３１ｄが形成されている。
【００３２】
凹み部３１ｄは、図２及び図３に示すように、カバー２の第２の係合爪２５と対応するように形成されている。本実施の形態の凹み部３１ｄは、直方体の一つの角部を切り欠いた形状を基本形状としている。例えば凹み部３１ｄは、本体筐体３の下方側であって、且つ後方側の角部が切り欠かれている。そのため、切り欠き部は直角三角錐形状となる。
【００３３】
詳細には、凹み部３１ｄは、後面３１ｆ、前面３１ｇ、第１の側面３１ｈ、第２の側面３１ｉ、第３の側面３１ｊ、第４の側面３１ｋを備えている。
【００３４】
後面３１ｆは、図３に示すように略水平面である。後面３１ｆは、上下方向を規定する軸と左右方向を規定する軸とを含む平面と略平行に配置されている。この後面３１ｆは、カバー２を本体筐体３に嵌合した状態で、第２の係合爪２５の後面２５ａと略面接触する。この状態で、カバー２の側部２２の前面２２ａと本体筐体３における収納部３１より外方領域の後面３３との突き合わせ部が略面接触する。
【００３５】
前面３１ｇは、図３に示すように略水平面である。前面３１ｇも、上下方向を規定する軸と左右方向を規定する軸とを含む平面と略平行に配置されている。ちなみに、後面３１ｆと前面３１ｇとの間隔は、カバー２を本体筐体３から離脱する際に、第２の係合爪２５の回転を許容するように設定されている。そのため、カバー２が本体筐体３に嵌合された状態では、第２の係合爪２５の前面２５ｂと凹み部３１の前面３１ｇとの間に隙間が確保される。
【００３６】
第１の側面３１ｈは、本体筐体３の凹み部３１ｄの上面を成している。第１の側面３１ｈは、前後方向を規定する軸と左右方向を規定する軸とを含む平面と略平行に配置されている。この第１の側面３１ｈは、カバー２を本体筐体３に嵌合した状態で、第２の係合爪２５の第１の側面２５ｃと略面接触することが好ましい。
【００３７】
第２の側面３１ｉは、本体筐体３の凹み部３１ｄの下面を成している。第２の側面３１ｉも、前後方向を規定する軸と左右方向を規定する軸とを含む平面と略平行に配置されている。この第２の側面３１ｉも、カバー２を本体筐体３に嵌合した状態で、第２の係合爪２５の第２の側面２５ｈと略面接触することが好ましい。
【００３８】
第３の側面３１ｊは、本体筐体３の凹み部３１ｄにおける本体筐体３の内方側の側面を成している。第３の側面３１ｊは、前後方向を規定する軸と上下方向を規定する軸とを含む平面と略平行に配置されている。この第３の側面３１ｊは、カバー２を本体筐体３から離脱する際に、第２の係合爪２５の回転を許容するように配置されている。そのため、カバー２が本体筐体３に嵌合された状態では、第２の係合爪２５の第３の側面２５ｅと凹み部３１の第３の側面３１ｊとの間に隙間が確保される。
【００３９】
第４の側面３１ｋは、上述のように直方体を切り欠いて露出した面を成している。そのため、第４の側面３１ｋは、後面３１ｆ、前面３１ｇ、第２の側面３１ｉ及び第３の側面３１ｊと連続している。
【００４０】
第４の側面３１ｋは、本体筐体３を上下方向から見たとき、本体筐体３の前方から後方に向かって外方に傾斜する辺と、本体筐体３を左右方向から見たとき、本体筐体３の上方から下方に向かって前方に傾斜する辺と、本体筐体３を前後方向から見たとき、本体筐体３の上方から下方に向かって外方に傾斜する辺と、を含む。つまり、直方体の切り欠き部は、本体筐体３の前方から後方に向かって左右方向の幅寸法Ｔ３が拡幅し、且つ本体筐体３の上方から下方に向かって前後方向の幅寸法Ｔ４が拡幅する。そのため、後面３１ｆは、鋭角が下方に配置された直角台形状となる。一方、前面３１ｇは、矩形状となる。
【００４１】
ここで、本実施の形態の凹み部３１ｄは、第５の側面３１ｌを備えている。第５の側面３１ｌは、後面３１ｆ、前面３１ｇ、第２の側面３１ｉ、第４の側面３１ｋと連続している。第５の側面３１ｌは、本体筐体３を上下方向から見たとき、本体筐体３の前方から後方に向かって、外方に傾斜している。そして、第５の側面３１ｌの前方側の辺及び後方側の辺は、本体筐体３の上下方向と略平行に配置されている。
【００４２】
下方側の側部３１ｅは、本体筐体３の収納部３１からバッテリー４の下方側の側面を覆うように、後方に突出している。
【００４３】
次に、カバー２を本体筐体３から離脱する際の動作原理を説明する。カバー２を本体筐体３から離脱するとき、図４に示すように、第１の係合爪２４と本体筐体３の凹み部３１ｂとの係合部を中心として、カバー２を後方（矢印Ｒ方向）に回転させる。
【００４４】
このとき、図５に示すように、カバー２を後方に回転させる力Ｗ１が作用すると、カバー２の第２の係合爪２５における第４の側面２５ｆが本体筐体３の凹み部３１ｄにおける第４の側面３１ｋ上を滑って、カバー２の側部２２を外方に向って押し出す力Ｗ２が作用する。これにより、カバー２を容易に本体筐体３から離脱することができる。
【００４５】
しかも、第４の側面２５ｆにおけるカバー２の外方側の端部２５ｇは、カバー２を本体筐体３に嵌合した状態で、本体筐体３の凹み部３１ｄの外方側の端部近傍に配置される。そのため、カバー２を本体筐体３から離脱しようとしたとき、当該凹み部３１ｄに後面２５ａが引っ掛かって抵抗になることを抑制することができる。また、カバー２の第２の係合爪２５が凹み部３１ｄに引っ掛かって損傷することを抑制することができる。
【００４６】
さらに、カバー２の第２の係合爪２５における第４の側面２５ｆ及び本体筐体３の凹み部３１ｄにおける第４の側面３１ｋは、カバー２の回転中心側と逆側に配置されているので、カバー２を本体筐体３から離脱するとき、カバー２の第２の係合爪２５が本体筐体３の凹み部３１ｄに引っ掛かり難く、カバー２を本体筐体３から容易に離脱することができる。
【００４７】
一方、カバー２が本体筐体３に嵌合された状態では、図５に示すように、カバー２の第２の係合爪２５における後面２５ａは本体筐体３の凹み部３１ｄにおける後面３１ｆと略面接触するので、相互の係合力が強く、カバー２の側部２２の前面２２ａと本体筐体３における収納部３１より外方領域の後面３３との突き合わせ部に隙間が生じることを抑制することができる。したがって、防水性能に優れた構造にすることができる。
【００４８】
本発明は上記実施の形態に限られたものではなく、趣旨を逸脱しない範囲で適宜変更することが可能である。
上記実施の形態では、電子機器として携帯電話機の例を示したが、この限りでない。すなわち、電子機器として、タブレット端末、デジタルカメラ、ノートパソコン、ＰＤＡ（Personal Digital Assistants）、ポータブルＤＶＤ（Digital Versatile Disk）プレーヤー、ポータブル音楽プレーヤー、ポータブルテレビ等を用いても、略同様に実施することができる。
【００４９】
本発明では、カバー２の第２の係合爪２５が当該カバー２の離脱方向側に配置される面、及びカバー２の離脱方向に向かって外方に傾斜する辺と、カバー２の上方又は下方に向かって当該カバー２の離脱方向と逆側に傾斜する辺と、を含む傾斜面を有し、本体筐体３が当該第２の係合爪２５に対応する凹み部３１を有する構成とされていれば良い。
【符号の説明】
【００５０】
１  筐体
２  カバー
３  本体筐体
４  バッテリー
２１  後部
２２  左右側部
２２ａ  前面
２３  下部
２４  第１の係合爪
２５  第２の係合爪、２５ａ  後面、２５ｂ  前面、２５ｃ  第１の側面、２５ｄ  第２の側面、２５ｅ  第３の側面、２５ｆ  第４の側面、２５ｇ  端部、２５ｈ  第５の側面
３１  収納部
３１ａ  上方側の側部
３１ｂ  凹み部、
３１ｃ  左右の側部
３１ｄ  凹み部、３１ｆ  後面、３１ｇ  前面、３１ｈ  第１の側面、３１ｉ  第２の側面、３１ｊ  第３の側面、３１ｋ  第４の側面、３１ｌ  第５の側面
３１ｅ  下方側の側部
３２  後部
３３  後面
１００  カバー
１１０  係合爪、１１１  後面
２００  本体筐体
２１０  凹み部、２１１  後面
【図１】
2013149765.tif 000003
【図２】
2013149765.tif 000004
【図３】
2013149765.tif 000005
【図４】
2013149765.tif 000006
【図５】
2013149765.tif 000007
【図６】
2013149765.tif 000008
【図７】
2013149765.tif 000009
【図８】
2013149765.tif 000010
【図９】
2013149765.tif 000011